(57)【要約】【課題】１つの貯留槽が利水槽として機能するとともに治水槽としても機能する雨水貯留設備を提供する。【解決手段】１つの貯留槽２と、貯留槽２内に雨水を導く雨水導入部３と、貯留槽２内の水を排出する排出部４と、各種計測器により得られた気象データを収集する気象データ収集部５と、収集した気象データに基づいて排出部４に取り付けられた電磁弁７に開閉信号を出力して貯留槽２の貯留水量を制御する貯留水量制御部６と、を有し、気象データに基づいて降雨が予想されるときには電磁弁７を開放して貯留槽２内に残存する雨水を排出することで貯留槽２を治水槽として機能させる一方、気象データに基づいて予想される降雨のおそれのない期間は電磁弁７を閉鎖して貯留槽２内に残存する雨水を貯留し続けることで貯留槽２を利水槽として機能させる。【選択図】図１
2007126939.tif 000002
【特許請求の範囲】
【請求項１】
１つの貯留槽と、この貯留槽内に雨水を導く雨水導入手段と、貯留槽内の水を排出する排出手段と、各種計測器により得られた気象データを収集する気象データ収集手段と、この収集した気象データに基づいて貯留槽の貯留水量を制御する貯留水量制御手段と、を有し、
前記貯留水量制御手段により、前記気象データに基づいて降雨が予想されるときには貯留槽内に残存する雨水を排出することで貯留槽を治水槽として機能させる一方、前記貯留水量制御手段により、前記気象データに基づいて予想される降雨のおそれのない期間は貯留槽内に残存する雨水を貯留し続けることで貯留槽を利水槽として機能させることを特徴とする雨水貯留設備。
【請求項２】
１つの貯留槽と、この貯留槽内に雨水を導く雨水導入部と、貯留槽内の水を排出する排出部と、各種計測器により得られた気象データを収集する気象データ収集部と、この収集した気象データに基づいて貯留槽の貯留水量を制御する貯留水量制御部と、を有し、
前記貯留槽には、貯留槽の貯留水量を検知する水位計が設けられ、
前記雨水導入部には、雨水導入部への流入水量を検知する流量計が設けられ、
前記排出部には、貯留水量制御部により出力される開閉信号に応じて開閉される電磁弁やエアー弁や油圧弁など貯留水量制御可能な開閉弁が取り付けられ、
前記気象データ収集部は、気圧計、湿度計、露点計、温度計、風向計、風力計、雨量計など、気象データを収集する計測器のうちのいずれか一部、またはすべての計測器で構成され、
前記貯留水量制御部は、収集した気象データならびに水位計により計測した貯留水量および流量計により計測した流入水量を分析するとともに、この分析結果に基づいて排出部に開閉弁の開閉信号を出力し、
前記貯留水量制御部により、前記気象データに基づいて降雨が予想されるときには開閉弁を開放して貯留槽内に残存する雨水を排出することで貯留槽を治水槽として機能させる一方、前記貯留水量制御部により、前記気象データに基づいて予想される降雨のおそれのない期間は開閉弁を閉鎖して貯留槽内に残存する雨水を貯留し続けることで貯留槽を利水槽として機能させることを特徴とする雨水貯留設備。
【発明の詳細な説明】
【技術分野】
【０００１】
本発明は、雨水の利水および治水に供する雨水貯留設備に関する。
【背景技術】
【０００２】
従来から、雨水貯留設備は、主として治水を目的として設置されており、豪雨などが発生した場合に、貯留槽内に雨水を貯留して、雨水を調整するために使用されていた。
【０００３】
しかし近年、貯留槽内に貯留した雨水を、公園や学校、ショッピングセンターなどにおけるトイレや緑化施設へ利用できるように、雨水貯留設備を利水の目的に使用する要求が高まってきている。
【０００４】
しかしながら、利水を目的とする雨水貯留設備では、貯留した雨水を所定期間で消費するため、雨水貯留設備の貯留槽の内部には、常に所定量の雨水が保有されていなければならない。ところが、貯留槽内部に雨水を保有している状態で、豪雨などが発生した場合には、貯留槽が短時間で満水になるために、雨水貯留設備の治水の機能を果たすことができなくなってしまうといった問題が生じる。
【０００５】
そこで、雨水貯留設備に治水槽と利水槽とを別々に施工する方法が、従来から採用されている。
【０００６】
このような雨水貯留設備では、降雨時に治水槽に雨水を貯留し、その後利水槽に雨水を移して利用するように構成されている。したがって、治水槽は降雨時以外には空になるので、次の降雨に備えることができる。また、利水槽、治水槽の双方に雨水が貯留されている場合は、降雨のない間に治水槽の雨水を河川や下水道に放流することによって、治水槽を空けるようにして、治水機能を確保している。
【０００７】
また、例えば特許文献１に記載された雨水調整および利用システムでは、中水用貯水槽、雨水調整槽、および浸透槽を設け、これらの槽をパイプで接続することにより、中水の利用、雨水の調整、雨水の地中への浸透を効率良く行うことが提案されている。
【特許文献１】特開２０００−３５５９５９号公報
【発明の開示】
【発明が解決しようとする課題】
【０００８】
しかしながら、利水槽と治水槽とを別々に有する雨水貯留設備では、同程度の貯留槽を２つ作り、そのうちの一方を空にする必要があるため、土地の利用効率が著しく悪化するといった問題や、同程度の貯留槽を２つ施工するために、施工費用がかかるといった問題があった。
【０００９】
また、上記特許文献１に記載された雨水調整および利用システムにおいても、中水用貯水槽、雨水調整槽、および浸透槽の３つの槽を施工するために、施工費用がかかるといった問題は、依然として生じてしまう。
【００１０】
本発明は、このような事情に鑑み創案されたもので、１つの貯留槽が利水槽として機能するとともに治水槽としても機能する雨水貯留設備を提供するものである。
【課題を解決するための手段】
【００１１】
上記の目的を達成するため本発明は、１つの貯留槽と、この貯留槽内に雨水を導く雨水導入手段と、貯留槽内の水を排出する排出手段と、各種計測器により得られた気象データを収集する気象データ収集手段と、この収集した気象データに基づいて貯留槽の貯留水量を制御する貯留水量制御手段と、を有し、前記貯留水量制御手段により、前記気象データに基づいて降雨が予想されるときには貯留槽内に残存する雨水を排出することで貯留槽を治水槽として機能させる一方、前記貯留水量制御手段により、前記気象データに基づいて予想される降雨のおそれのない期間は貯留槽内に残存する雨水を貯留し続けることで貯留槽を利水槽として機能させることを特徴とする。
【００１２】
この発明によれば、１つの貯留槽が利水槽として機能するとともに治水槽としても機能するので、貯留槽を１つ施工するだけで利水と治水の双方の目的に雨水貯留設備を使用することができる。したがって、土地の利用効率を大幅に上げることができるとともに、施工費用を大幅に削減することができる。
【００１３】
また、本発明は、１つの貯留槽と、この貯留槽内に雨水を導く雨水導入部と、貯留槽内の水を排出する排出部と、各種計測器により得られた気象データを収集する気象データ収集部と、この収集した気象データに基づいて貯留槽の貯留水量を制御する貯留水量制御部と、を有し、前記貯留槽には、貯留槽の貯留水量を検知する水位計が設けられ、前記雨水導入部には、雨水導入部への流入水量を検知する流量計が設けられ、前記排出部には、貯留水量制御部により出力される開閉信号に応じて開閉されるやエアー弁や油圧弁など貯留水量制御可能な開閉弁が取り付けられ、前記気象データ収集部は、気圧計、湿度計、露点計、温度計、風向計、風力計、雨量計など、気象データを収集する計測器のうちのいずれか一部、またはすべての計測器で構成され、前記貯留水量制御部は、収集した気象データならびに水位計により計測した貯留水量および流量計により計測した流入水量を分析するとともに、この分析結果に基づいて排出部に開閉弁の開閉信号を出力し、前記貯留水量制御部により、前記気象データに基づいて降雨が予想されるときには開閉弁を開放して貯留槽内に残存する雨水を排出することで貯留槽を治水槽として機能させる一方、前記貯留水量制御部により、前記気象データに基づいて予想される降雨のおそれのない期間は開閉弁を閉鎖して貯留槽内に残存する雨水を貯留し続けることで貯留槽を利水槽として機能させることを特徴とする。
【００１４】
この発明によれば、１つの貯留槽が利水槽として機能するとともに治水槽としても機能するので、貯留槽を１つ施工するだけで利水と治水の双方の目的に雨水貯留設備を使用することができる。したがって、土地の利用効率を大幅に上げることができるとともに、施工費用を大幅に削減することができる。
【発明の効果】
【００１５】
本発明によれば、１つの貯留槽が利水槽として機能するとともに治水槽としても機能する雨水貯留設備を提供することが可能になる。
【発明を実施するための最良の形態】
【００１６】
以下、本発明の一実施形態について、図面を参照して説明する。
【００１７】
図１には、本発明の雨水貯留設備１の概略構成が示されている。
【００１８】
この雨水貯留設備１は、１つの貯留槽２と、この貯留槽２内に雨水を導く雨水導入部３と、貯留槽２内の水を排出する排出部４と、気象データを収集する気象データ収集部５と、この収集した気象データに基づいて貯留槽の貯留水量を制御する貯留水量制御部６と、を有している。
【００１９】
貯留槽２は、雨水を貯留し得るように貯留空間が形成されており、地下に埋設されている。また、貯留槽２の内部には、貯留水量を検知する水位計２１が設けられている。
【００２０】
雨水導入部３は、貯留槽２の上部に設けられており、下水管やマンホールなどから流入してくる雨水を貯留槽２に導くように構成されている。また、雨水導入部３への流入水量を検知する流量計３１が設けられている。
【００２１】
排出部４は、貯留槽２の下部に設けられており、貯留水量制御部６により出力される開閉信号に応じて開閉される電磁弁７が取り付けられている。
【００２２】
気象データ収集部５は、例えば、気圧計５１、湿度計５２、露点計５３、温度計５４、風向計５５、風力計５６、雨量計５７の計測器で構成されており、気象データを収集することができるように図られている。
【００２３】
なお、気象データ収集部５を構成する計測器は、上記した計測器に限定されるものではなく、また、これらの計測器のうちの一部であってもよい。
【００２４】
貯留水量制御部６は、収集した気象データならびに水位計２１により計測した貯留水量および流量計３１により計測した流入水量を分析し、この分析結果に基づいて電磁弁７の開閉信号を出力するように構成されている。
【００２５】
ここで気象データは、例えば低気圧が接近し湿度が高くなると雨が降るといった自然現象の原因と結果に基づいて分析されている。
【００２６】
そして、貯留水量制御部６には、気圧や湿度などの気象データを一定時間ごとに採取し、その経時変化に基づいて降雨予測を行う簡易降雨予測システム（エキスパートシステム）が構築されており、この簡易降雨予測システムによる結果と現在の貯留槽２の状態を表すデータ（流入量の変動や貯留量など）とを判断して、電磁弁７の開閉信号を出力するように構成されている。
【００２７】
したがって、気象データに基づいて降雨が予想されるときには電磁弁７を開放して貯留槽２内に残存する雨水を排出することで貯留槽２を治水槽として機能させる一方、気象データに基づいて予想される降雨のおそれのない期間は電磁弁７を閉鎖して貯留槽２内に残存する雨水を貯留し続けることで貯留槽２を利水槽として機能させることができる。
【００２８】
なお、本実施の形態では、電磁弁７を開閉することで貯留槽２内の貯留水量を制御しているが、電磁弁７に限らず、例えば、エアー弁や油圧弁など貯留水量制御可能な開閉弁であってもよい。
【００２９】
以上、本発明の実施の形態について、一例としての実施例について説明したが、上述した実施例に限られるものではない。
【産業上の利用可能性】
【００３０】
本発明は、１つの貯留槽が利水槽として機能するとともに治水槽としても機能する雨水貯留設備を提供することができる。
【図面の簡単な説明】
【００３１】
【図１】本発明に係る雨水貯留設備を模式的に示す概略図である。
【符号の説明】
【００３２】
１  雨水貯留設備
２  貯留槽
２１  水位計
３  雨水導入部
３１  流量計
４  排出部
５  気象データ収集部
６  貯留水量制御部
７  電磁弁
【図１】
2007126939.tif 000003